(57)【要約】【課題】スケルトンタイプの新しい壁面を得ることができ、非常に現代的な浴室ユニット内の空間演出を可能とすること、また、壁面の色を変えることが可能となり、入浴者の好みに応じた浴室ユニット内の空間演出を可能とすることを解決すべき課題とする。【解決手段】浴室ユニット本体１に設けられる壁パネルＰ１、Ｐ２…、Ｐ７の材質を半透明とし、その裏側に照明器具Ｓ１、Ｓ２、Ｓ３を設けた。また、照明器具Ｓ１、Ｓ２、Ｓ３が発色する色の数を複数設けた。【選択図】        図１
2004353213.tif 000002
【特許請求の範囲】
【請求項１】
壁パネル、天井パネルを有する浴室ユニットであって、全ての該壁パネルの材質を半透明とし、該壁パネルの裏側に照明器具を設けたことを特徴とする浴室ユニット。
【請求項２】
前記照明器具が発色する色の数を複数設けたことを特徴とする請求項１の浴室ユニット。
【請求項３】
前記天井パネルの材質を半透明とし、天井パネルの裏側に照明器具を設けたことを特徴とする請求項１または請求項２の浴室ユニット。
【発明の詳細な説明】
【０００１】
【発明の属する技術分野】
本発明は、浴室ユニットに関するものである。
【０００２】
【従来の技術】
従来の浴室ユニットの室内には照明が設けられているのに対し、室外に照明器具を設ける浴室ユニットが提案されている。
【０００３】
【特許文献１】
実公昭６２−２４６８３号公報
【０００４】
上記の技術によれば、壁パネルの少なくとも一枚は、防水性の材質よりなる壁面構成平坦部の室内側に鏡が取り付けられ、壁面構成平坦部における鏡の外部側が半透明な透光域とされ、壁面構成平坦部の室外側に透光域を照らす照明器具が設けられているので、浴室ユニット内に照明器具が突出しない等の効果を奏する。
【０００５】
【発明が解決しようとする課題】
しかしながら、上記技術は、壁パネルの少なくとも１枚に透光域を設けるものの、他の壁パネルはタイルを貼着したもの等、通常の浴室ユニットと同様の壁パネルを選択することから、通常の浴室ユニットと比較して照明構造の差別化はできたとしても、浴室ユニットの室内空間そのものの差別化はできない。
【０００６】
以上の事情を鑑み本発明は、浴室ユニットの室内に、全く新しい現代的な空間を演ずることを解決すべき課題とする。
【０００７】
【課題を解決するための手段】
請求項１の浴室ユニットは、壁パネル、天井パネルを有する浴室ユニットであって、全ての該壁パネルの材質を半透明とし、該壁パネルの裏側に照明器具を設けたことを特徴とする。
【０００８】
請求項２の浴室ユニットは、前記照明器具が発色する色の数を複数設けたことを特徴とする。
【０００９】
請求項３の浴室ユニットは、前記天井パネルの材質を半透明とし、天井パネルの裏側に照明器具を設けたことを特徴とする。
【作用】
【００１０】
請求項１の浴室ユニットは、今までの壁パネルの材質とは異なり、全ての壁パネルを半透明としたことから、スケルトンタイプの新しい壁面を得ることができ、非常に現代的な浴室ユニット内の空間演出が可能となる。
【００１１】
請求項２の浴槽は、照明器具の発色する色を適宜選択して照らされる壁面の色を変えることが可能となり、入浴者の好み応じた浴室ユニット内の空間演出が可能となる。
【００１２】
請求項３の浴槽は、天井パネルまでも半透明としたことから、さらなる非常に現代的な空間演出が可能となる。
【００１３】
【実施例】
以下、本発明の実施形態を図面に沿って説明する。図１は本発明にかかる浴室ユニットの横断面図、図２は縦断面である。
【００１４】
図１に示すように浴室ユニットは建築躯体１０内に設置されるものであり、浴室ユニット本体１と照明器具Ｓ１、Ｓ２、Ｓ３により構成されている。浴室ユニット本体１は、防水パン２、壁パネルＰ１、Ｐ２…、Ｐ７、出入り口３、天井パネル４（図２参照）、及び浴槽５により構成され、浴槽５には水栓金具６及び手摺り７が設けられている。なお、８は浴槽の排水口、９は洗い場の排水口である。
【００１５】
壁パネルＰ４は図２に示すように、アクリル板Ａ及びその裏面に補強のために設けられる外枠フレームＦ１、Ｆ１…及び桟フレームＦ２、Ｆ２…により構成されている。また、アクリル板Ａは適宜個所において室内側よりビスＢ、Ｂ…より桟フレームＦ２、Ｆ２…に固定され、ビスの頭には化粧キャップ（図示せず）が被せられている。なお、他の壁パネルＰ１、Ｐ２…、Ｐ７も同様の構造である。
【００１６】
壁パネルＰ１、Ｐ２…、Ｐ７は防水パン２の周囲に立設され、壁パネルＰ１、Ｐ２…、Ｐ７どうしは外枠フレームＦ１、Ｆ１…どうしをボルトで締め付けることにより連結されている。
【００１７】
壁パネルＰ２、Ｐ３の裏側には、照明器具Ｓ１が設置されている。照明器具Ｓ１は、１２個の光源Ｋ１、Ｋ２…、Ｋ１２からなり、それぞれの光源の発色は赤、緑、青、黄、紫、白、桃、橙、茶、紺、灰、黒である。なお、照明器具Ｓ２、Ｓ３も同様の構造である。
【００１８】
本実施形態の浴室ユニット本体１の壁パネルＰ１、Ｐ２…、Ｐ７は、今までの壁パネルの材質とは異なり半透明としたことから、スケルトンタイプの新しい壁面を得ることができ、非常に現代的な空間演出が可能となる。また、照明器具Ｓ１、Ｓ２、Ｓ３を点灯させて光を壁パネルＰ２、Ｐ３…、Ｐ７にあてると、壁パネルＰ２、Ｐ３…、Ｐ７は半透明であることから光が乱反射し、壁パネルＰ２、Ｐ３…、Ｐ７が光の色に染まる。また、光の一部は壁パネルＰ２、Ｐ３…、Ｐ７を通過し、浴室ユニット本体１室内を明るくするため、室内に照明器具を設けないことも可能となる。室内に照明器具がなければ壁面がすっきりするから壁面の意匠性が向上し、また壁面の掃除が楽になる。
【００１９】
本実施形態においては、入浴者は光源Ｋ１、Ｋ２…、Ｋ１２のうち好みの発色の光源を選んで点灯させることにより、壁パネルＰ２、Ｐ３…、Ｐ７を好みの色に変えることができる。本実施形態では、照明器具Ｓ１、Ｓ２、Ｓ３に複数の光源を設けることにより複数の発色を可能としているが、発光ダイオード技術を用いて１つの光源で複数の発色をさせてもよい。
【００２０】
また、本実施形態の壁パネルＰ１、Ｐ２…、Ｐ７は、アクリル板Ａと桟フレームＦ２、Ｆ２…とが室内側からのビスＢ、Ｂ…により固定されており、両者の固定には接着剤が使用されていない。この固定方法により、接着剤を使用した場合には接着剤がアクリル板Ａを透かして室内側から見えてしまうという問題を解決している。
【００２１】
また、本実施形態の壁パネルＰ１、Ｐ２…のアクリル板Ａを交換しようとする場合には、室内側からビスＢ、Ｂ…を抜き取るだけでアクリル板Ａを取り外すことができ、その後、新たなアクリル板を桟フレームＦ２、Ｆ２…にビス止めするだけでよい。枠フレームＦ１、Ｆ２…や桟フレームＦ２、Ｆ２…は解体せずにそのまま使うことができ、アクリル板Ａの交換作業が極めて簡単である。なお、本実施形態では、壁パネルＰ１、Ｐ２…、Ｐ７にアクリル板Ａを用いているが、耐水性や耐候性にすぐれる強化ガラスを用いても良い。
【００２２】
さらに、本実施形態では、天井パネル４は通常の透光性のない材質を用いているが、天井パネル４の材質を半透明として、天井パネル４の裏側に照明器具を設けても良い。
【００２３】
【発明の効果】
以上のように本発明の浴室ユニットによれば、浴室ユニットの室内に、非常に現代的な空間を演ずることができる
【図面の簡単な説明】
【図１】本発明の実施形態にかかる浴室ユニットの横断面図である。
【図２】本発明の実施形態にかかる浴室ユニットの縦断面図である。
【符号の説明】
１    浴室ユニット本体
２    防水パン
Ｐ１  Ｐ２…  Ｐ７    壁パネル
Ｓ１  Ｓ２  Ｓ３    照明器具
【図１】
2004353213.tif 000003
【図２】
2004353213.tif 000004